(57)【特許請求の範囲】
【請求項１】
測定指示に従って測定対象体の絶縁抵抗を測定する測定部と、表示部を制御して前記測定部によって測定された前記絶縁抵抗の測定値に基づく表示値を表示部に表示させる制御部とを備えた絶縁抵抗測定装置であって、
前記測定部によって最後に測定された前記測定値を記憶する記憶部を備え、
前記制御部は、前記測定指示がされた時点において前記記憶部に前記測定値が既に記憶されているときには、前記記憶部に記憶されている測定値としての第１測定値と前記測定部によって新たに測定された前記測定値としての第２測定値との平均値、前記第１測定値および前記第２測定値のうちの小さい方の値、並びに前記第１測定値および前記第２測定値のうちの大きい方の値の少なくとも１つの値を前記表示値として前記表示部に表示させた後に、前記第２測定値を前記第１測定値として前記記憶部に上書きして記憶させる絶縁抵抗測定装置。
【請求項２】
前記制御部は、前記新たに測定された測定値を前記少なくとも１つの値と共に前記表示部に表示させる請求項１記載の絶縁抵抗測定装置。
【請求項３】
前記制御部は、前記記憶部に記憶されている測定値を前記少なくとも１つの値と共に前記表示部に表示させる請求項１または２記載の絶縁抵抗測定装置。
【発明の詳細な説明】
【技術分野】
【０００１】
本発明は、測定対象体の絶縁抵抗を測定してその測定値を表示する絶縁抵抗測定装置に関するものである。
【背景技術】
【０００２】
この種の絶縁抵抗測定装置として、特許２９２９７６０号公報に開示されたデジタル絶縁抵抗計が知られている。このデジタル絶縁抵抗計は、直流電源、トランス、トランジスタ、発振器および倍電圧整流回路などを備えて、抵抗測定値をデジタル表示部およびバーグラフ表示部に表示可能に構成されている。
【先行技術文献】
【特許文献】
【０００３】
【特許文献１】特許２９２９７６０号公報（第２−４頁、第１−２図）
【発明の概要】
【発明が解決しようとする課題】
【０００４】
ところが、上記のデジタル絶縁抵抗計には、解決すべき以下の課題がある。すなわち、上記のデジタル絶縁抵抗計を含むこの種の絶縁抵抗測定装置では、抵抗測定値を表示する機能が備えられているものの、特定の検査において使用する際に不都合なことがある。具体的には、電池のように極性を有する測定対象体における絶縁抵抗を測定する際に、正極と筐体との間の絶縁抵抗、および電池の負極と筐体との間の絶縁抵抗を測定し、これら２回の測定によって得られた抵抗測定値の平均値が基準値以上であるか否かによってその電池の絶縁状態の良否を判定するような検査を、製造業者や製造業界において規定している場合には、２回の測定を行った際に表示部に表示される抵抗測定値を読み取って記録し、その後にその記録した抵抗測定値から平均値を算出する必要がある。このような検査を数多くの電池に対して行うときには、抵抗測定値を記録する作業や、記録した抵抗測定値から平均値を算出する作業を何回も行う必要がある。このため、これらの煩雑な作業に起因して、検査効率の向上が困難な上に、記録や計算の作業において人為的な誤りが発生する可能性があり、検査精度の向上も困難となっている。
【０００５】
本発明は、かかる課題に鑑みてなされたものであり、測定値を用いて測定対象体の検査を行う際の検査効率および検査精度を向上し得る絶縁抵抗測定装置を提供することを主目的とする。
【課題を解決するための手段】
【０００６】
上記目的を達成すべく請求項１記載の絶縁抵抗測定装置は、測定指示に従って測定対象体の絶縁抵抗を測定する測定部と、表示部を制御して前記測定部によって測定された前記絶縁抵抗の測定値に基づく表示値を表示部に表示させる制御部とを備えた絶縁抵抗測定装置であって、前記測定部によって最後に測定された前記測定値を記憶する記憶部を備え、前記制御部は、前記測定指示がされた時点において前記記憶部に前記測定値が既に記憶されているときには、前記記憶部に記憶されている測定値としての第１測定値と前記測定部によって新たに測定された前記測定値としての第２測定値との平均値、前記第１測定値および前記第２測定値のうちの小さい方の値、並びに前記第１測定値および前記第２測定値のうちの大きい方の値の少なくとも１つの値を前記表示値として前記表示部に表示させた後に、前記第２測定値を前記第１測定値として前記記憶部に上書きして記憶させる。
【０００７】
また、請求項２記載の絶縁抵抗測定装置は、請求項１記載の絶縁抵抗測定装置において、前記制御部は、前記新たに測定された測定値を前記少なくとも１つの値と共に前記表示部に表示させる。
【０００８】
また、請求項３記載の絶縁抵抗測定装置は、請求項１または２記載の絶縁抵抗測定装置において、前記制御部は、前記記憶部に記憶されている測定値を前記少なくとも１つの値と共に前記表示部に表示させる。
【発明の効果】
【０００９】
請求項１記載の絶縁抵抗測定装置では、測定指示がされた時点において記憶部に測定値が既に記憶されているときには、記憶部に記憶されている第１測定値と測定部によって新たに測定された第２測定値との平均値、第１測定値および第２測定値のうちの小さい方の値（最小値）、並びに第１測定値および第２測定値のうちの大きい方の値（最大値）の少なくとも１つの値を表示値として表示部に表示させた後に、前記第２測定値を前記第１測定値として前記記憶部に上書きして記憶させる。このため、この絶縁抵抗測定装置では、例えば、太陽電池のように極性を有する測定対象体における正極側の端子と筐体との間の絶縁抵抗を測定した後に、負極側の端子と筐体との間の絶縁抵抗を測定したときに、２つの測定値の平均値、最小値および最大値の少なくとも１つの値を自動的に表示部に表示させることができる。したがって、この絶縁抵抗測定装置によれば、正極側の端子と筐体との間の絶縁抵抗の測定、および負極側の端子と筐体との間の絶縁抵抗の測定の２回の測定毎に表示された測定値を記録する必要がなく、また、これらの２回の測定における２つの測定値から平均値を計算したり、２つの測定値を比較したりする煩雑な作業を省略することができる結果、検査効率および検査精度を十分に向上させることができる。
【００１０】
また、請求項２記載の絶縁抵抗測定装置では、測定部によって新たに測定された測定値を平均値、最小値および最大値の少なくとも１つの値と共に表示部に表示させる。このため、この絶縁抵抗測定装置によれば、平均値、最小値および最大値に加えて新たに測定された測定値（２回目の測定値）を必要とする検査においても用いることができるため、利用範囲を十分に広げることができる。
【００１１】
また、請求項３記載の絶縁抵抗測定装置では、記憶部に記憶されている測定値を平均値、最小値および最大値の少なくとも１つの値と共に表示部に表示させる。このため、この絶縁抵抗測定装置によれば、例えば、前回の（１回目の）測定を行ってから次の（２回目の）測定を行うまでにやや時間が経過して、１回目の測定を行ったか否か（現在行っている測定が２回目の測定であるか否か）が不明となった場合においても、そのことを使用者に確実に認識させることができるため、利便性を十分に向上させることができる。
【図面の簡単な説明】
【００１２】
【図１】絶縁抵抗測定装置１の構成を示す構成図である。
【図２】絶縁抵抗測定装置１の構成を示す斜視図である。
【図３】太陽電池２００の構成を示す構成図である。
【図４】表示処理５０のフローチャートである。
【図５】表示部１６による表示態様を示す第１の表示画面図である。
【図６】表示部１６による表示態様を示す第２の表示画面図である。
【図７】表示部１６による表示態様を示す第３の表示画面図である。
【図８】表示部１６による表示態様を示す第４の表示画面図である。
【図９】表示部１６による表示態様を示す第５の表示画面図である。
【図１０】表示部１６による表示態様を示す第６の表示画面図である。
【発明を実施するための形態】
【００１３】
以下、本発明に係る絶縁抵抗測定装置の実施の形態について、添付図面を参照して説明する。
【００１４】
最初に、絶縁抵抗測定装置１の構成について、図面を参照して説明する。図１に示す絶縁抵抗測定装置１は、絶縁抵抗測定装置の一例であって、例えば図３に示す太陽電池２００を構成する複数のストリング（太陽電池セルの集合体であるモジュールを複数直列に接続した構造体）２０１ａ〜２０１ｎ（以下、区別しないときには「ストリング２０１」ともいう）と各ストリング２０１が収容されている筐体２０３との間の絶縁抵抗（測定対象体の絶縁抵抗）を測定可能に構成されている。具体的には、絶縁抵抗測定装置１は、図１に示すように、本体部２と、本体部２に接続可能に構成されたプローブ３，３とを備えて構成されている。
【００１５】
本体部２は、図１に示すように、電源部１１、測定部１２、制御部１３、操作部１４、記憶部１５および表示部１６を備えて構成されている。電源部１１は、制御部１３の制御に従い、測定用の電圧Ｖ（例えば、直流電圧）を生成して出力する。
【００１６】
測定部１２は、制御部１３の制御に従い、測定対象体の絶縁抵抗を測定する測定処理を実行する。具体的には、測定部１２は、電流検出回路２１、Ａ／Ｄ変換回路２２および測定回路２３を備えて構成されている。電流検出回路２１は、切り替え可能な複数のレンジ抵抗を備えて構成され、このレンジ抵抗の切り替えによって測定レンジを切り替え可能に構成されている。また、電流検出回路２１は、測定対象体に対する電圧Ｖの供給に伴ってプローブ３，３間（測定対象体）を流れる電流Ｉを電圧変換して、電圧信号Ｓｖを生成する。Ａ／Ｄ変換回路２２は、電流検出回路２１によって生成される電圧信号Ｓｖをアナログ−ディジタル変換して電圧データＤｖを出力する。測定回路２３は、Ａ／Ｄ変換回路２２から出力される電圧データＤｖ、および電源部１１によって生成される電圧Ｖの電圧値に基づいて測定対象体の絶縁抵抗を測定する（以下、測定された絶縁抵抗の値を「測定値Ｒｍ」ともいう）。
【００１７】
制御部１３は、操作部１４のメジャースイッチ４３（図２参照）がオン操作されて操作信号Ｓｏが出力されたときに（測定指示がされたときに）、図４に示す表示処理５０を実行する。具体的には、制御部１３は、電源部１１を制御して測定用の電圧Ｖを出力させると共に、測定部１２を制御して測定処理を実行させて測定対象体の絶縁抵抗を測定させる。また、制御部１３は、測定部１２によって測定された絶縁抵抗の測定値Ｒｍを記憶部１５に記憶させる。また、制御部１３は、測定指示がされた時点において、測定値Ｒｍが記憶部１５に既に記憶されているときには、記憶部１５に既に記憶されている測定値Ｒｍ（つまり、直前の測定処理によって測定された測定値Ｒｍであって、以下、「第１測定値Ｒｍ１」ともいう）と、測定部１２によって新たに測定された測定値Ｒｍ（以下、この「第２測定値Ｒｍ２」ともいう）との平均値Ｒｍａを算出する。さらに、制御部１３は、表示部１６を制御して、第１測定値Ｒｍ１、第２測定値Ｒｍ２および平均値Ｒｍａなど（測定部１２によって測定された測定値に基づく表示値の一例）を表示させる。
【００１８】
操作部１４は、図２に示すように、本体部２の正面パネルに配設された電源スイッチ４１、レンジ切り替えスイッチ４２およびメジャースイッチ４３等の各種のスイッチを備えて構成され、各スイッチやボタンが操作されたときに操作信号Ｓｏ（図１参照）を出力する。記憶部１５は、制御部１３の制御に従い、測定部１２によって最後に測定された測定値Ｒｍ（最新の測定値Ｒｍ）を記憶する。つまり、この絶縁抵抗測定装置１では、記憶部１５は、測定値Ｒｍを最新のものに上書きして（書き替えて）１つだけ記憶する。表示部１６は、一例として、図２に示すように、本体部２の正面パネルに配設された液晶ディスプレイで構成され、制御部１３の制御に従い、第１測定値Ｒｍ１、第２測定値Ｒｍ２および平均値Ｒｍａ等を表示する。
【００１９】
次に、絶縁抵抗測定装置１を用いて図３に示す太陽電池２００の良否を検査する方法、およびその際の絶縁抵抗測定装置１の動作について、図面を参照して説明する。この場合、この検査では、絶縁抵抗測定装置１を用いて、太陽電池２００の各ストリング２０１における正極側の端子２０２ａ（同図参照）と筐体２０３との間の絶縁抵抗を測定すると共に、負極側の端子２０２ｂ（同図参照）と筐体２０３との間の絶縁抵抗を測定し、両測定値Ｒｍの平均値Ｒｍａと予め決められた基準値とを比較して太陽電池２００の良否を判定する。
【００２０】
この絶縁抵抗測定装置１では、図２に示す操作部１４の電源スイッチ４１がオン操作されたときに、初期化処理が行われる。この場合、記憶部１５に測定値Ｒｍが記憶されているときには、初期化処理によってその測定値Ｒｍが消去される。次いで、操作部１４のレンジ切り替えスイッチ４２を操作し、測定レンジとして、例えば「１００〜１０００ＭΩ」の測定レンジを選択する。続いて、太陽電池２００における各ストリング２０１のうちの１つ（例えば、図３に示すストリング２０１ａ）における正極側の端子２０２ａと筐体２０３との間の絶縁抵抗を測定する。具体的には、端子２０２ａおよび筐体２０３にプローブ３，３をそれぞれ接触させる。
【００２１】
次いで、操作部１４のメジャースイッチ４３をオン操作する。この際に、操作部１４が測定指示を示す操作信号Ｓｏを出力し、これに応じて、制御部１３が、図４に示す表示処理５０を実行する。この表示処理５０では、制御部１３は、電源部１１を制御して、測定用の電圧Ｖを出力させる（ステップ５１）。続いて、電源部１１から出力された電圧Ｖがプローブ３，３を介して端子２０２ａおよび筐体２０３に供給（印加）される。次いで、制御部１３は、測定部１２を制御して、測定処理を実行させる（ステップ５２）。この測定処理では、測定部１２の電流検出回路２１が、電圧Ｖの供給に伴ってプローブ３，３間を流れる電流Ｉを電圧変換して電圧信号Ｓｖを生成する。
【００２２】
続いて、測定部１２のＡ／Ｄ変換回路２２が、電流検出回路２１によって生成された電圧信号Ｓｖをアナログ−ディジタル変換して電圧データＤｖを出力する。次いで、測定部１２の測定回路２３が、Ａ／Ｄ変換回路２２から出力された電圧データＤｖ、および電源部１１によって生成される電圧Ｖの電圧値に基づいて端子２０２ａと筐体２０３との間の絶縁抵抗を測定する。
【００２３】
続いて、制御部１３は、記憶部１５に測定値Ｒｍが既に記憶されているか否かを判別する（ステップ５３）。この場合、この時点では、記憶部１５に測定値Ｒｍが記憶されていないため、制御部１３は、表示部１６を制御して、図５に示すように、測定部１２（測定回路２３）によって測定された絶縁抵抗の測定値Ｒｍ（例えば、３２．４８ＭΩ）を表示させる（ステップ５４）。次いで、制御部１３は、この測定値Ｒｍを第１測定値Ｒｍ１として記憶部１５に記憶させる（ステップ５５）。続いて、制御部１３は、メジャースイッチ４３がオフ操作されたか否かを繰り返して判別し（ステップ５６）、メジャースイッチ４３がオフ操作されたときには、電源部１１を制御して電圧Ｖの出力を停止させると共に、測定部１２を制御して測定処理を停止させて、表示処理５０を終了する。以上により、ストリング２０１ａにおける端子２０２ａと筐体２０３との間の絶縁抵抗の測定が終了する。
【００２４】
次いで、ストリング２０１ａにおける負極側の端子２０２ｂと筐体２０３との間の絶縁抵抗を測定する。具体的には、上記した端子２０２ａと筐体２０３との間の絶縁抵抗を測定する際の手順と同様にして、端子２０２ｂおよび筐体２０３にプローブ３，３をそれぞれ接触させた後に、操作部１４のメジャースイッチ４３をオン操作して測定指示（次の測定指示）行う。これに応じて、制御部１３が表示処理５０を実行する。
【００２５】
この時点で、上記した端子２０２ａと筐体２０３との間の絶縁抵抗の測定値Ｒｍ（第１測定値Ｒｍ１）が既に記憶部１５に記憶されているため、制御部１３は、表示処理５０のステップ５３において、記憶部１５に測定値Ｒｍが既に記憶されていると判別し、続いて、平均値Ｒｍａを算出する（ステップ５７）。この場合、制御部１３は、記憶部１５から第１測定値Ｒｍ１（この例では、３２．４８ＭΩ）を読み出して、一例として、その第１測定値Ｒｍ１と、測定部１２によって新たに測定された第２測定値Ｒｍ２（例えば、５３．８６ＭΩ）とを単純平均して平均値Ｒｍａ（この例では、４３．１７ＭΩ）を算出する。
【００２６】
次いで、制御部１３は、表示部１６を制御して、図６に示すように、第１測定値Ｒｍ１、第２測定値Ｒｍ２および平均値Ｒｍａを表示させる（ステップ５８）。続いて、制御部１３は、新たに測定された測定値Ｒｍ（第２測定値Ｒｍ２）を第１測定値Ｒｍ１として記憶部１５に上書きして記憶させる（ステップ５９）。次いで、制御部１３は、メジャースイッチ４３がオフ操作されたか否か繰り返して判別し（ステップ５６）、メジャースイッチ４３がオフ操作されたときには、電源部１１を制御して電圧Ｖの出力を停止させると共に、測定部１２を制御して測定処理を停止させて表示処理５０を終了する。以上により、ストリング２０１ａにおける端子２０２ｂと筐体２０３との間の絶縁抵抗の測定が終了する。
【００２７】
以下同様にして、他のストリング２０１における端子２０２ａと筐体２０３との間の絶縁抵抗を測定すると共に、端子２０２ｂと筐体２０３との間の絶縁抵抗を測定する。一方、上記のように各ストリング２０１における平均値Ｒｍａが表示されたときには、その都度、表示された平均値Ｒｍａを記録する。
【００２８】
この絶縁抵抗測定装置１では、測定指示がされた時点において第１測定値Ｒｍ１が記憶部１５に既に記憶されているときには、測定部１２によって新たに測定された第２測定値Ｒｍ２と記憶部１５に記憶されている第１測定値Ｒｍ１との平均値Ｒｍａを表示部１６に表示させる。このため、上記したように、１つのストリング２０１における端子２０２ａと筐体２０３との間の絶縁抵抗を測定した後に、端子２０２ｂと筐体２０３との間の絶縁抵抗を測定したときには、２つの測定値Ｒｍ（第１測定値Ｒｍ１および第２測定値Ｒｍ２）の平均値Ｒｍａが自動的に表示部１６に表示される。このため、この絶縁抵抗測定装置１では、端子２０２ａと筐体２０３との間の絶縁抵抗を測定したとき、および端子２０２ｂと筐体２０３との間の絶縁抵抗を測定したときの２回の測定毎に、表示された測定値Ｒｍを記録し、さらに、それらの測定値Ｒｍから平均値Ｒｍａを計算して求める必要がある従来の絶縁抵抗測定装置を用いた検査方法と比較して、検査効率および検査精度を十分に向上させることが可能となっている。
【００２９】
次いで、全てのストリング２０１についての平均値Ｒｍａの記録（第１測定値Ｒｍ１および第２測定値Ｒｍ２の測定）を終了したときには、各平均値Ｒｍａと良否判定用の基準値とを比較する。この場合、例えば、各ストリング２０１の平均値Ｒｍａの全てが基準値以上のときには、その太陽電池２００の絶縁状態が良好であると判定し、平均値Ｒｍａが基準値を下回るストリング２０１が１つでも存在するときには、その太陽電池２００の絶縁状態が不良であると判定する。
【００３０】
このように、この絶縁抵抗測定装置１では、測定指示がされた時点において第１測定値Ｒｍ１が記憶部１５に既に記憶されているときには、測定部１２によって新たに測定された第２測定値Ｒｍ２と記憶部１５に記憶されている第１測定値Ｒｍ１との平均値Ｒｍａを表示部１６に表示させる。このため、この絶縁抵抗測定装置１では、１つのストリング２０１における端子２０２ａと筐体２０３との間の絶縁抵抗を測定した後に、端子２０２ｂと筐体２０３との間の絶縁抵抗を測定したときに、２つの測定値Ｒｍの平均値Ｒｍａを自動的に表示部１６に表示させることができる。したがって、この絶縁抵抗測定装置１によれば、太陽電池２００のように極性を有する測定対象体における絶縁抵抗を測定する際に、正極側の端子２０２ａと筐体２０３との間の絶縁抵抗の測定、および負極側の端子２０２ｂと筐体２０３との間の絶縁抵抗の測定の２回の測定毎に表示された測定値Ｒｍを記録する必要がなく、また、これらの２回の測定における測定値Ｒｍから平均値Ｒｍａを計算する煩雑な作業を省略することができる結果、検査効率および検査精度を十分に向上させることができる。
【００３１】
また、この絶縁抵抗測定装置１では、測定部１２によって新たに測定された第２測定値Ｒｍ２を平均値Ｒｍａと共に表示部１６に表示させる。このため、この絶縁抵抗測定装置１によれば、平均値Ｒｍａと共に２回目の測定値Ｒｍも必要とする検査にもこの絶縁抵抗測定装置１を用いることができるため、絶縁抵抗測定装置１の利用範囲を十分に広げることができる。
【００３２】
また、この絶縁抵抗測定装置１では、記憶部１５に記憶されている第１測定値Ｒｍ１を平均値Ｒｍａと共に表示部１６に表示させる。このため、この絶縁抵抗測定装置１によれば、例えば、１回目の（前回の）測定を行ってから２回目の（次の）測定を行うまでにやや時間が経過して、１回目の測定を行ったか否か（現在行っている測定が２回目の測定であるか否か）が不明となった場合においても、そのことを使用者に確実に認識させることができるため、利便性を十分に向上させることができる。
【００３３】
なお、絶縁抵抗測定装置の構成は、上記した構成に限定されない。例えば、第１測定値Ｒｍ１、第２測定値Ｒｍ２および平均値Ｒｍａを表示部１６に表示させる構成例について上記したが、平均値Ｒｍａのみ、平均値Ｒｍａと第１測定値Ｒｍ１のみ、および平均値Ｒｍａと第２測定値Ｒｍ２のみを表示部１６に表示させる構成を採用することもできる。
【００３４】
また、第１測定値Ｒｍ１、第２測定値Ｒｍ２および平均値Ｒｍａを表示部１６に表示させる際の表示態様も上記した（図６に示す）表示態様に限定されない。例えば、図７に示すように、平均値Ｒｍａを大きく表示させ、第１測定値Ｒｍ１および第２測定値Ｒｍ２を平均値Ｒｍａよりも小さく表示させる表示態様を採用することもできる。
【００３５】
また、上記の構成では、測定指示がされた時点において、測定値Ｒｍ（第１測定値Ｒｍ１）が記憶部１５に既に記憶されているときには、その第１測定値Ｒｍ１と、測定部１２によって新たに測定された第２測定値Ｒｍ２との平均値Ｒｍａを算出して表示部１６に表示させているが、図８に示すように、第１測定値Ｒｍ１と第２測定値Ｒｍ２とを比較し、両測定値Ｒｍ１，Ｒｍ２のうちの小さい方の値（最小値Ｒｍｓ）、および両測定値Ｒｍ１，Ｒｍ２のうちの大きい方の値（最大値Ｒｍｌ）を平均値Ｒｍａと共に表示部１６に表示させる構成を採用することもできる。また、図９に示すように、両測定値Ｒｍ１，Ｒｍ２の最大値Ｒｍｌを表示させずに両測定値Ｒｍ１，Ｒｍ２の平均値Ｒｍａと最小値Ｒｍｓとを表示させる構成や、図１０に示すように、両測定値Ｒｍ１，Ｒｍ２の最小値Ｒｍｓを表示させずに両測定値Ｒｍ１，Ｒｍ２の平均値Ｒｍａと最大値Ｒｍｌを表示させる構成を採用することもできる。つまり、両測定値Ｒｍ１，Ｒｍ２の平均値Ｒｍａ、両測定値Ｒｍ１，Ｒｍ２のうちの最小値Ｒｍｓ、並びに両測定値Ｒｍ１，Ｒｍ２のうちの最大値Ｒｍｌの少なくとも１つの値を表示部１６に表示させるように絶縁抵抗測定装置を構成することができる。
【００３６】
また、絶縁抵抗測定装置１を用いて太陽電池２００の絶縁抵抗を測定する例について上記したが、太陽電池２００以外の各種の電池（一次電池や二次電池などの化学電池）、およびコンデンサ等の各種の電気部品の絶縁抵抗を測定する際に絶縁抵抗測定装置１を用いることができる。また、回路基板における導体パターン間の絶縁抵抗の測定や、導体パターンの抵抗値の測定（導通状態の測定）にこの絶縁抵抗測定装置１を用いることもできる。
【符号の説明】
【００３７】
１  絶縁抵抗測定装置
１２  測定部
１３  制御部
１５  記憶部
１６  表示部
４３  メジャースイッチ
２００  太陽電池
２０１ａ〜２０１ｎ  ストリング
２０２ａ，２０２ｂ  端子
２０３  筐体
Ｒｍ  抵抗値
Ｒｍ１  第１測定値
Ｒｍ２  第２測定値
Ｒｍａ  平均値
Ｒｍｌ  最大値
Ｒｍｓ  最小値
【図１】
0005654825.tif 000002
【図２】
0005654825.tif 000003
【図３】
0005654825.tif 000004
【図４】
0005654825.tif 000005
【図５】
0005654825.tif 000006
【図６】
0005654825.tif 000007
【図７】
0005654825.tif 000008
【図８】
0005654825.tif 000009
【図９】
0005654825.tif 000010
【図１０】
0005654825.tif 000011